(57)【要約】【課題】  無線通信システムにおいて特別な送信内容の表示法を提供する。【解決手段】  無線通信インフラ・エンティティは、複数のスケジュール化可能な無線通信エンティティをグループに割当て、各エンティティは、グループ内の位置が割り当てられる。インフラ・エンティティは、グループに割り当てられた複数のスケジュール化可能な無線通信エンティティの内のどれに無線資源が割り当てられたかについて、例えば、端末割当てフィールド（９１０）を用いて示し、また、特別な送信フィールド（９０５）を用いて特別な送信情報を示す。特別な送信フィールド（９０５）は、スケジュール化可能な無線通信エンティティの内のどれが、特別な送信を受信しているかを示すために用いられる。【選択図】      図９
2008035526.tif 000002
【特許請求の範囲】
【請求項１】
無線通信インフラ・エンティティにおける方法であって、
複数のスケジュール化可能な無線通信エンティティをグループに割り当てる段階であって、各スケジュール化可能な無線通信エンティティには、前記グループ内における位置が割り当てられ、前記グループには、共有無線資源が割り当てられ、前記グループは、共有制御チャネルで制御される前記段階と、
共有制御チャネル上で端末割当てフィールドを示す段階であって、前記端末割当てフィールドは、前記グループに割り当てられた前記複数のスケジュール化可能な無線通信エンティティの内のどれが無線資源を割り当てられたか示す前記段階と、
共有制御チャネル上で少なくとも１つの特別な送信フィールドを示す段階であって、前記特別な送信フィールドは、特別な送信が意図された無線端末の識別子を指定する前記段階と、
が含まれる方法。
【請求項２】
請求項１に記載の方法であって、前記特別な送信フィールドには、更に、予約ブロックフィールドを含み、前記予約ブロックフィールドは、前記特別な送信に割り当てられる時間・周波数資源の数を指定する方法。
【請求項３】
請求項１に記載の方法であって、前記特別な送信フィールドには、更に、ハイブリッド自動反復要求送信番号フィールドを含み、前記ハイブリッド自動反復要求送信番号フィールドは、前記無線通信インフラ・エンティティが資源を割り当てようとする一連のハイブリッド自動反復要求送信番号内における送信番号を指定する方法。
【請求項４】
請求項１に記載の方法であって、前記特別な送信フィールドには、更に、ボコーダ速度フィールドを含み、前記ボコーダ速度フィールドは、前記無線通信インフラ・エンティティが資源を割り当てようとする音声パケットのボコーダ速度を指定する方法。
【請求項５】
請求項１に記載の方法であって、前記特別な送信フィールドには、更に、パケットデータフィールドを含み、前記パケットデータフィールドは、特別な送信が意図された前記無線端末に対するパケットデータ送信の存在及びパケットサイズを指定する方法。
【請求項６】
請求項１に記載の方法であって、前記特別な送信フィールドには、更に、割当てブロックフィールドを含み、前記割当てブロックフィールドは、特別な送信が意図された前記無線端末用の開始資源ブロックを指定する方法。
【請求項７】
請求項１に記載の方法であって、更に、特別な送信配分方式を示す段階であって、前記特別な送信配分方式は、特別な送信用の前記割当て共有無線資源内における開始資源ブロック及び特別な送信用の特別な順位付けパターンを指定する前記段階が含まれる方法。
【請求項８】
複数の他のスケジュール化可能な無線通信エンティティを有するグループに割り当てられたスケジュール化可能な無線通信エンティティにおける方法において、各スケジュール化可能な無線通信エンティティには、前記グループ内における位置が割り当てられ、前記グループには、共有無線資源が割り当てられ、また、前記グループは、共有制御チャネルで制御される前記方法であって、
共有制御チャネル上で端末割当てフィールドを受信する段階であって、前記端末割当てフィールドは、前記グループに割り当てられた前記複数のスケジュール化可能な無線通信エンティティの内のどれが無線資源を割り当てられたか示す前記段階と、
共有制御チャネル上で少なくとも１つの特別な送信フィールドを受信する段階であって、前記特別な送信フィールドは、特別な送信が意図された無線端末の識別子を指定する前記段階と、
が含まれる方法。
【請求項９】
装置であって、
複数のスケジュール化可能な無線通信エンティティをグループに割り当てるための手段であって、各スケジュール化可能な無線通信エンティティには、前記グループ内における位置が割り当てられ、前記グループには、共有無線資源が割り当てられ、前記グループは、共有制御チャネルで制御される前記手段と、
共有制御チャネル上で端末割当てフィールドを示すための手段であって、前記端末割当てフィールドは、前記グループに割り当てられた前記複数のスケジュール化可能な無線通信エンティティの内のどれが、無線資源を割り当てられたか示す前記手段と、
共有制御チャネル上で少なくとも１つの特別な送信フィールドを示すための手段であって、前記特別な送信フィールドは、特別な送信が意図された無線端末の識別子を指定する前記手段と、
が含まれる装置。
【請求項１０】
装置であって、
共有制御チャネル上で端末割当てフィールドを受信するための手段であって、前記端末割当てフィールドは、グループに割り当てられた複数のスケジュール化可能な無線通信エンティティの内のどれが無線資源を割り当てられたか示し、スケジュール化可能な無線通信エンティティが、複数の他のスケジュール化可能な無線通信エンティティを有する前記グループに割り当てられ、各スケジュール化可能な無線通信エンティティには、前記グループ内における位置が割り当てられ、前記グループには、共有無線資源が割り当てられ、また、前記グループは、共有制御チャネルで制御される前記手段と、
共有制御チャネル上で少なくとも１つの特別な送信フィールドを受信するための手段であって、前記特別な送信フィールドは、特別な送信が意図された無線端末の識別子を指定する前記手段と、
が含まれる装置。
【発明の詳細な説明】
【技術分野】
【０００１】
本開示は無線通信に関し、特に、一組の時間・周波数資源を共有する無線通信端末のグループに対する特別な送信内容の表示に関する。
【背景技術】
【０００２】
データ専用（ＤＯ）無線通信システムの中には、ＶｏＩＰ（ｖｏｉｃｅ−ｏｖｅｒ−ｉｎｔｅｒｎｅｔ＿ｐｒｏｔｏｃｏｌ）により音声を提供するものがある。ハイブリッド自動再送要求（ＨＡＲＱ）誤り訂正方式及び小さいパケットサイズを用いて、ＶｏＩＰトラフィック用のそのようなシステムを改善することが知られている。ＶｏＩＰユーザは、データユーザと同じく、高度なリンク適合及び統計的多重化の恩典を有するが、かなり数が多くなった音声ユーザは、音声パケットサイズが小さくなったことから、サービスの提供が受けられる。残念なことに、この非常に多くの音声ユーザは、システムの制御メカニズムに負担をかけている。例えば、データパケットと比較して、３０倍もの数の音声パケットを所定時間に提供し得ることが容易に想像できる。通常、単一のパケットには、ボコーダ速度に依存して、データ用に約１５００バイト及び音声用に約１５乃至５０バイトが存在する。（尚、一般的に、当分野において、用語“データ”が用いられる場合、“データ”が、非音声サービスに関連するペイロード情報を指すように意図されていることが文脈により示されない限り、それは、音声かデータかに関わらず、任意のサービスに対するペイロード情報を意味する。  
【特許文献１】米国特許  ２００５０３６５２８２
【発明の開示】
【発明が解決しようとする課題】
【０００３】
一組の時間・周波数資源を共有する多数の音声ユーザを一緒にグループ化することが知られている。更に、同じ時間・周波数資源を共有するその組の音声ユーザに共有時間・周波数資源の割当て分を効率的に割り当てるためにビットマップ信号送信を用いることが知られている。しかしながら、これらの手法では、特別な送信内容を表示する効率的な手段が可能ではない。例えば、これらの手法は、同じユーザに、１つのパケットが最小の信号送信オーバーヘッドである２つのパケットを送信させない。追加の例として、これらの手法は、特定の資源を特定の接続端末（ＡＴ）に割り当てさせない。従って、基本的なビットマップ信号送信構造を依然維持しつつ、様々なタイプの特別な送信内容の効率的で柔軟な表示法に対するニーズがある。
【課題を解決するための手段】
【０００４】
無線通信システムにおいて特別な送信内容の表示法を提供する。無線通信インフラ・エンティティは、複数のスケジュール化可能な無線通信エンティティをグループに割当て、各エンティティは、グループ内の位置が割り当てられる。インフラ・エンティティは、グループに割り当てられた複数のスケジュール化可能な無線通信エンティティの内のどれに無線資源が割り当てられたかについて、例えば、端末割当てフィールド（９１０）を用いて示し、また、特別な送信フィールド（９０５）を用いて特別な送信情報を示す。特別な送信フィールド（９０５）は、スケジュール化可能な無線通信エンティティの内のどれが、特別な送信を受信しているかを示すために用いられる。
【発明を実施するための最良の形態】
【０００５】
本開示の様々な態様、特徴及び利点は、添付図面を参照して、以下に述べるその詳細な説明を慎重に考察すると、当業者にはよりいっそう明らかになるであろう。添付図面は、理解しやすいように簡略化されており、また、必ずしも縮尺通りに描かれているとは限らない。
【０００６】
図１は、対応する領域又はセル領域において、音声及び／又はデータサービスを含む無線通信サービスを無線端末１０２に提供する複数の送受信基地局１１０が含まれる無線デジタル通信システム１００を示す。送受信基地局（ＢＴＳ）は、システムタイプによって、基地局、“ノードＢ”、及び接続ネットワーク（ＡＮ）等の他の名前でも呼ぶが、コントローラ１２０及び図示しないが当業者に公知の他のエンティティに通信可能に接続される。図１に示すように、各送受信基地局には、システム内における無線通信端末間の無線資源スケジューリング用のスケジューリングエンティティ１１２が含まれる。無線デジタル通信システム１００によって表される代表的な通信システムには、これらに限定するものではないが、開発中のユニバーサル移動体通信システム（ＵＭＴＳ）ネットワーク、進化したＵＭＴＳ陸上無線接続（Ｅ−ＵＴＲＡ）ネットワーク、進化した高レートパケットデータ（Ｅ−ＨＲＰＤ）ネットワーク、及び他の直交周波数分割多重（ＯＦＤＭ）ベースのネットワークが含まれる。
【０００７】
Ｅ−ＨＲＤＰ、Ｅ−ＵＴＲＡ及び他の通信プロトコルが、従来の回線交換ドメイン上での音声配信とは異なり、パケットドメイン上での音声サービスの配信をサポートするために開発されつつある。従って、多数のユーザが、無線インターフェイスの時間及び周波数資源を共有する共有無線チャネル上での音声トラフィックをサポートする方式に関心がある。Ｅ−ＨＲＰＤ及びＥ−ＵＴＲＡにおいて大幅な容量増加を達成する目的で、音声トラフィックに対応するために、効率的な無線資源配分方式が必要な可能性がある。一般的に、これらの及びデータ用途を含む他の用途において、ネットワークのスケジューラに柔軟性を提供しつつ、制御信号送信オーバーヘッドは最小限に抑えることが望ましい。一般的には、共有チャネルに依拠しパケットベースの送信を用いてあらゆるサービスの配信を行う多数の端末に対して、資源配分及び関連する制御チャネル情報を効率的に信号送信するメカニズムを定義することは、有用である。
【０００８】
図２は、無線デジタル通信システムにおける通信に有用な一連の無線フレーム２００を示す。図２に示すように、フレームシーケンスには、一般的に、複数のフレーム２１０、２２０、２３０・・・が含まれ、各フレームには、複数のタイムスロットが含まれる。例えば、フレーム２１０には、制御チャネル部２１４及びデータチャネル部２１６内に資源割当て制御チャネル部を有するタイムスロット２１２が含まれる。幾つかの実施形態において、フレームは、繰り返しシーケンスのフレームを構成し、この繰り返しシーケンスは、周期的又は非周期的であり得る。
【０００９】
図３は、一連の繰り返しフレームを示し、３つのタイムスロットがグループ化されフレームを形成する。図３に示すように、各タイムスロットは、５／９ｍｓｅｃであり、また、各フレームは、５／３ｍｓｅｃであるが、タイミングは、他の実施形態では、異なり得る。例えば、他の実施形態では、５／６ｍｓｅｃの２つのタイムスロットは、連結されて５／３ｍｓｅｃフレームを形成する。更に他の実施形態では、１つの５／６ｍｓｅｃスロットが、フレームとして定義される。インターレースパターンは、繰り返しシーケンスのフレームとして定義される。同期ＨＡＲＱ（Ｓ−ＨＡＲＱ）を用いるシステムの場合、通常、初期及び後続のＨＡＲＱ送信は、同じインターレースパターンにおいて起こる。この例示例において、フレーム０乃至１１で示された１２フレームは、２０ｍｓｅｃ時間間隔を占有し、これは、スーパフレーム３０１として定義され、多くの無線標準規格用のボコーダフレームの持続時間である。
【００１０】
Ｅ−ＵＴＲＡ及びＥ−ＨＲＰＤのために考慮されるような直交周波数分割多元接続（ＯＦＤＭＡ）システムの場合、周波数領域は、副搬送波に分割される。例えば、５ＭＨｚＯＦＤＭＡ搬送波の場合、４６４の有用な副搬送波が存在し得るが、副搬送波間隔は、９．６ｋＨｚである。同様に、タイムスロットは、多数のＯＦＤＭ符号に分割される。例えば、タイムスロットは、５／９ｍｓｅｃを占有し、また、５つのＯＦＤＭ符を含み得るが、各符号は、約１１０．６８μｓｅｃを占める。副搬送波は、グループ化され、周波数選択資源要素（ＦＳＲＥ）及び周波数分配資源要素（ＦＤＲＥ）を形成する。ＦＳＲＥは、隣接副搬送波のグループであり、ＦＤＲＥは、非隣接副搬送波のグループである。
【００１１】
一実施形態において、無線通信システムにおけるスケジューラ又は他のインフラ・エンティティは、スケジューリングの目的で１つ又は複数のグループに無線通信端末をグループ化する。スケジューラによってスケジュール化し得るいずれかのエンティティ又は端末は、スケジュール化可能な無線通信エンティティと称する。一実施形態において、エンティティ又は端末は、端末に関連する無線チャネル条件に基づき、例えば、とりわけ、端末によって報告されるチャネル品質情報、端末によって報告されるドップラー効果、サービス提供側セルからの距離に基づき、グループ化し得る。他の実施形態では、端末は、共通の通信セッションへの参加以外の１つ又は複数の端末動作特性に基づき、グループ化される。代表的な端末動作特性には、とりわけ、端末の電源天盤高さ、マクロダイバーシティ配慮、端末能力、端末のサービス、コーデック速度が含まれる。更に他の実施形態において、アクティブなＶｏＩＰセッションの端末は、一緒にグループ化される。一旦、スケジューラが無線通信端末のグループを確立すると、ＢＴＳは、各無線端末に対して、そのグループにおけるその位置の表示と、そのグループ用の識別子の表示とを送る。グループの識別子は、ＢＴＳが、グループ全体に有効な制御情報を送る必要がある場合に用いられる。例えば、ＢＴＳは、グループ識別子の表示及び新しい周波数配分の表示を送ることによって、グループに対する周波数配分を変更し得る。位置表示は、各無線端末に別個に送るか、又は、複数の無線端末に一度に送り得る。例えば、ＢＴＳは、グループ識別子と共に、無線端末固有識別子のリストを送信し得る。固有識別子のリストの第１端末には、第１位置が割り当てられ、固有識別子のリストの第２端末には、第２位置が割り当てられ、以下同様である。固有識別子は、移動通信装置又は無線端末識別番号、加入者ＩＤ、又は無線端末を一意的に識別するために用い得るいずれか他の識別子であってよい。例えば、固有識別子は、媒体接続制御インデックス（ＭＡＣインデックス）であってよい。他の例として、ＢＴＳは、１つの無線端末用の固有識別子、グループ識別子の識別、グループ内における無線端末の位置の表示を送信し得る。表示は、制御チャネル上で送信し得る。
【００１２】
各グループのスケジュール化可能な無線通信エンティティの場合、スケジューラは、グループのエンティティ又は端末によって共有される一組の時間・周波数資源を割当て得る。図４は、一組の共有資源の例を示す。図４に示すように、共有資源４１０は、３つのタイムスロット及び８つのＦＤＲＥである。ブロックが、時間領域において１つのタイムスロットとして、また、周波数領域において１つのＦＤＲＥとして定義されると、１乃至２４で示す２４ブロック（ブロックは、資源ブロック又は単に資源とも呼ぶ）が存在する。ＦＤＲＥは、非隣接副搬送波のグループであり、このため、図４のＦＤＲＥインデックスは、周波数領域の論理的な表現であることを思い起こされたい。後述するように、他の無線端末に対する割当てに基づき、各無線端末は、その割当て分の共有資源を決定する。従って、資源が割り当てられる順番を定義することが必要である。図４において、例示の通常順位付けパターン４２０が与えられており、これにより、ブロックが１乃至２４と付番される。その組の共有資源は、図３に関して述べたように、インターレースパターンにおいて繰り返し用い得る。例えば、２４の資源は、図３に示すように、インターレースパターン０の各フレームにおいて繰り返し用い得る。また、これら２４の資源は、タイムスロットにおける周波数領域での一組の副搬送波の論理的表現であり、これら副搬送波の厳密な物理的な位置は、タイムスロット毎に変わり得る。
【００１３】
その組の共有資源の表示及び通常順位付けパターンは、制御チャネルを用いて、ＢＴＳから無線端末に信号送信し得る。更に、制御チャネルは、その組の共有資源の開始タイムスロットとの予め設定された関係を備えた任意のタイムスロットにおいて送信し得る。その組の共有資源は、制御チャネルが送信される同じスロットで始まるか、制御チャネルが送信されるタイムスロットに対して固定された開始点を有するか、又は、制御チャネルにおいて明示的に信号送信し得る。
【００１４】
一旦、スケジューラが、複数の無線端末を無線端末のグループに割当て、各無線端末にグループ内における位置（ｐｏｓｉｔｉｏｎ）（位置（ｌｏｃａｔｉｏｎ）とも呼ぶ）を割当て、また、一組の共有資源を無線端末のグループに割り当てると、スケジューラは、その組の無線端末に対して、どの無線端末が、所定時間にアクティブであるかを示し、幾つかの実施形態では、各無線端末に割り当てられた割当て資源の数を示す。図５は、無線端末に資源を割り当てるための代表的な手法を示す。第１フィールドの端末割当て５１０は、どの無線端末が、対応する組の共有資源における共有資源の内の少なくとも１つを割り当てられるか示す。例えば、フィールド５１０は、第１ビットマップであってよく、この場合、無線端末のグループ内における無線端末の位置は、そのビットマップ位置に対応する。例えば、位置１を割り当てられた無線端末は、共有資源の内の１つが、ビットマップの位置１を用いてそれに割り当てられるかどうか判断し、位置２を割り当てられた無線端末は、共有資源の内の１つが、ビットマップの位置２を用いてそれに割り当てられるかどうか判断し、以下同様である。
【００１５】
ビットマップ位置は、通常、１ビットであるが、ビットマップ位置は、複数のビットであり得ることを理解されたい。例えば、ビットマップ位置は、２ビットからなることがあり、この場合、位置１が割り当てられた無線端末は、共有資源の内の１つが、ビットマップの最初の２ビットを用いてそれに割り当てられるかどうか判断し、位置２が割り当てられた無線端末は、共有資源の内の１つが、ビットマップにおける第３及び第４ビットを用いてそれに割り当てられるかどうか判断し、以下同様である。無線端末当り１ビットが、ビットマップで用いられる場合、アクティブなユーザは、‘０’又は‘１’のいずれかを用いて示し得るが、この場合、アクティブでないユーザは、逆の状態を用いて示される。例示の例において、アクティブなユーザは、‘１’を用いて示される。幾つかの実施形態において、反転通常順位付けパターンビットを示す単一のビットが、第１ビットマップに付加され、この場合、ビットの値が、昇順又は降順で通常順位付けパターンに従うべきかどうか示す。例えば、‘０’は、昇順（反転しない）で通常順位付けパターンを用いることを示し得るが、他方、‘１’は、降順で（反転して）通常順位付けパターンを用いることを示し得る。ビットは、無線端末がその位置を分かれば、第１ビットマップ内において任意の位置を有し得る。関連する実施形態では、幾つかの通常順位付けパターンが確立されており、ＢＴＳは、通常順位付けフィールドを第１ビットマップに付加することによって、所望の通常順位付けパターンを示す。そして、各スケジューリング例において、ＢＴＳは、通常順位付けフィールドを用いて、その所望の通常順位付けを示す。
【００１６】
配分サイズフィールド５３０は、無線資源が割り当てられたスケジュール化可能な無線通信エンティティに対して無線資源割当て重み付け情報を示す。一実施形態において、無線資源割当て重み付け情報は、無線資源が割り当てられた各スケジュール化可能な無線通信エンティティに割り当てられた無線資源の割合を示す。他の実施形態では、無線資源割当て重み付け情報は、無線資源が割り当てられた各スケジュール化可能な無線通信エンティティに割り当てられた指定された数又はサイズの無線資源を示す。幾つかの実施形態において、無線資源割当て重み付け情報には、更に、ボコーダ速度、変調、及び符号化情報の内の少なくとも１つを含む。１つの重み付け値だけが可能な場合、配分サイズフィールド５３０は、省略し得る。端末割当てフィールド５１０及び配分サイズフィールド５３０は、共有制御チャネル上で送信し得るが、この場合、グループの各無線端末は、共有制御チャネルを復号する。
【００１７】
例示の例として、図６は、資源を割り当てるための代表的な第１及び第２ビットマップを示す。図６に示すように、２４の無線端末が、無線端末のグループに割り当てられ、また、第１ビットマップにおける１乃至２４の位置に対応する１乃至２４のグループ位置が割り当てられる。アクティブな無線端末は、第１ビットマップにおいて‘１’で示される。第１ビットマップは、図５からの代表的な端末割当てフィールド５１０である。第２ビットマップは、代表的な配分サイズフィールド５３０であり、この場合、第１ビットマップにおける第Ｎアクティブユーザは、第２ビットマップにおける第Ｎ位置に対応する。配分サイズフィールドにおける‘０’は、１資源が、対応する無線端末に割り当てられることを示し、‘１’は、２資源が、対応する無線端末に割り当てられることを示す。グループ位置１、従って、第１ビットマップの位置１が割り当てられたＷＴ１で示す無線端末は、ビットマップ位置１の‘１’によって示すように、アクティブな無線端末である。従って、ＷＴ１は、第２ビットマップ５３０の第１位置を用いて、その配分サイズを決定する。第２ビットマップの第１位置に‘０’が示されていることから、ＷＴ１には、１資源が割り当てられる。グループ位置２、従って、第１ビットマップの位置２が割り当てられたＷＴ２で示す無線端末は、第１ビットマップの‘０’によって示すように、アクティブな無線端末ではない。従って、ＷＴ２には、どの資源も割り当てられず、また、第２ビットマップ５３０に存在しない。グループ位置３、従って、第１ビットマップの位置３が割り当てられたＷＴ３で示す無線端末は、ビットマップ位置３の‘１’によって示すように、アクティブな無線端末である。ＷＴ３は、第１ビットマップに示す第２のアクティブな無線端末であり、従って、ＷＴ３は、第２ビットマップ５３０の第２位置を用いて、その配分サイズを決定する。第２ビットマップの第２位置に‘１’が示されていることから、ＷＴ３には、２資源が割り当てられる。これらの配分方式は、全ての２４の無線端末に対して繰り返される。尚、第２ビットマップは、第１ビットマップと同じサイズであってよく、これによって、第１ビットマップの割当て端末を第２ビットマップの位置にマッピングする必要がなくなる。
【００１８】
図６に示す配分方式並びに図４に示す共有資源４１０の組及び通常順位付けパターン４２０を組み合わせると、図７に示すように、各無線端末は、共有資源のその割当て分を決定し得る。第１アクティブ無線端末ＷＴ１には、１つの資源が割り当てられ、また、それは、割り当てられた第１の無線端末であることから、それには、図４の資源１が割り当てられる。第２アクティブ無線端末ＷＴ３には、２つの資源が割り当てられる。ＷＴ３は、第２ビットマップにおけるより小さい位置を有する無線端末に割り当てられた資源の数を合計する。この場合、ＷＴ３は、１つの資源が、以前割り当てられていたと判断する。従って、ＷＴ３には、図４の資源２及び３が割り当てられる。第３アクティブ無線端末ＷＴ５には、２つの資源が割り当てられる。ＷＴ５は、第２ビットマップにおけるより小さい位置を有する無線端末に割り当てられた資源の数を合計する。この場合、ＷＴ５は、３つの資源が（ＷＴ１に１つ、ＷＴ３に２つ）以前割り当てられていたと判断する。従って、ＷＴ５には、図４の資源４及び５が割り当てられる。このプロセスは、全ての無線端末に対して繰り返される。
【００１９】
音声等の或る用途の場合、パケットは、相対的に一定のレートで到着する。例えば、音声の場合、ボコーダフレームは、約２０ｍｓｅｃ毎に到着する。例示の例として、図３に戻り、ボコーダフレームが、番号０の長いフレームの冒頭で始まり、約２０ｍｓｅｃ毎に到着すると考える。通常、ＢＴＳは、任意の必要なヘッダをボコーダフレームに付加し、それを符号化して音声パケットを形成する。そして、ＢＴＳは、音声パケットが含まれる符号の少なくとも一部を変調して、番号０の長いフレームにおいて、無線端末に送信する。このことは、第１ＨＡＲＱ送信として示される。そして、無線端末は、送信されたパケットを受信し、復号しようと試みる。無線端末は、第１ＨＡＲＱ送信の後、音声パケットを正常に復号すると、確認応答（ＡＣＫ）をＢＴＳに送る。ＡＣＫを受信すると、ＢＴＳは、フレーム３、６、及び９で追加の情報を無線端末に何も送信しない（ビットマップ信号方式では、他の無線端末がこれらの資源を用い得る）。無線端末は、音声パケットを正常に復号できなかった場合、ＢＴＳに否定応答（ＮＡＣＫ）を送る。ＮＡＣＫを受信すると、ＢＴＳは、フレーム番号３で無線端末に第２ＨＡＲＱ送信で示す音声パケットの追加符号を送る。無線端末は、第２ＨＡＲＱ送信の後、音声パケットを正常に復号すると、ＢＴＳに確認応答（ＡＣＫ）を送る。ＡＣＫを受信すると、ＢＴＳは、フレーム３及び６で無線端末に追加情報を何も送信しない。無線端末は、音声パケットを正常に復号できなかった場合、ＢＴＳに否定応答（ＮＡＣＫ）を送る。ＮＡＣＫを受信すると、ＢＴＳは、フレーム番号６で無線端末に第３ＨＡＲＱ送信で示す音声パケットの追加符号を送る。無線端末は、第３ＨＡＲＱ送信後、音声パケットを正常に復号すると、確認応答（ＡＣＫ）をＢＴＳに送る。ＡＣＫを受信すると、ＢＴＳは、フレーム９で追加の情報を無線端末に何も送信しない。無線端末は、音声パケットを正常に復号できなかった場合、ＢＴＳに否定応答（ＮＡＣＫ）を送る。ＮＡＣＫを受信すると、ＢＴＳは、フレーム番号９で無線端末に第４ＨＡＲＱ送信で示す音声パケットの追加符号を送る。無線端末は、第４送信後、音声パケットを正常に復号すると、確認応答（ＡＣＫ）をＢＴＳに送る。無線端末は、音声パケットを正常に復号できなかった場合、ＢＴＳに否定応答（ＮＡＣＫ）を送る。
【００２０】
第４ＨＡＲＱ送信後、ＢＴＳが、ＮＡＣＫを受信すると、現ビットマップ信号送信メカニズムでは、ＢＴＳは、現音声パケットの送信（即ち、第５ＨＡＲＱ送信の実施）を同時に継続できず、また、フレーム番号１２での新しい音声パケットの送信を開始できない。特に、ＢＴＳは、現音声パケットの送信を継続すべきか又は新しい音声パケットの送信を開始すべきか選択する。ＢＴＳが、現音声パケットの送信を継続すると選択した場合、新しい音声パケットは、遅延され、これによって、音声品質が低下する。ＢＴＳが、新しい音声パケットの送信を選択した場合、現音声パケットは、エラーであると宣言され、これによっても、音声品質が低下する。従って、制御チャネルオーバーヘッドを最小にする効率的なビットマップ信号送信方法を維持しつつ、無線端末に複数の音声パケットを同時に効率的に送信することに対するニーズがある
上述した問題の例として、図８に示す場面を考える。図８において、図３からのフレーム９及び１２を示す。４つの無線端末（ＷＴ６、ＷＴ７、ＷＴ１０、及びＷＴ１１）のグループ８３０は、グループ位置１乃至４が割り当てられたグループに割り当てられ、また、フレーム９及び１２（インターレース０）を含むインターレース内における周波数領域資源が割り当てられる。特に、この組の共有時間・周波数資源には、各フレーム８１０及び８２０の合計６ブロックに対して、２つのＦＤＲＥが３つの各タイムスロットに含まれる。更に、ＢＴＳが、２つのビットマップを用いて、無線端末をスケジュール化し、第１ビットマップ８５０が、アクティブな無線端末を示し、第２ビットマップ８６０が、上述したように、各アクティブな無線端末に対する配分のサイズを示すと考える。第２ビットマップにおける‘０’が、１つのブロックが割り当てられることを示し、また、第２ビットマップにおける‘１’が、２つのブロックが割り当てられることを示すと考える。ＷＴ６、ＷＴ７、ＷＴ１０は、それらそれぞれの第１音声パケットのそれらの第４送信を受信しており、また、ＷＴ１１は、その第１音声パケットのその送信を既に確認したと考える。最後に、スケジューラは、ＷＴ６、ＷＴ７、ＷＴ１０がフレーム９において２つの資源を必要とすることを判断したと考える。資源は、通常順位付けパターン８７０に基づき割り当てる。
【００２１】
図８において、スケジューラは、第１ビットマップによって示すように、フレーム９においてＷＴ６、ＷＴ７、及びＷＴ１０を割当て、また、第２ビットマップによって示すように、ブロックサイズを割り当てる。通常順位付けパターン８７０及びビットマップの値のために、３つの無線端末には、８１０において分かるような資源が割り当てられる。ＷＴ６及びＷＴ７が、フレーム９後、ＢＴＳにＡＣＫを送り、また、ＷＴ１０が、フレーム９後、ＢＴＳにＮＡＣＫを送る場合を考える。更に、ＷＴ６、ＷＴ１０、及びＷＴ１１は、第２音声パケットを有し、これは、フレーム１２で開始して送信する必要があると考える。ＷＴ１０は、その第１音声パケットを正確に復号しなかったことから、ＢＴＳは、その第１音声パケットの送信を継続すべきか、又は、その第２音声パケットの送信を開始すべきか選択する。この例示例において、ＢＴＳは、ＷＴ１０に第２音声パケットを送信することを選択する。ＷＴ６及びＷＴ１１は、それらそれぞれの第１音声パケットを確認したことから、ＢＴＳは、フレーム１２で開始して、ＷＴ６及びＷＴ１１にそれぞれの第２音声パケットを送信する。スケジューラは、ＷＴ６及びＷＴ１０が、フレーム１２において、１つの資源を必要とし、他方、ＷＴ１１は、２つの資源を必要とすることを判断したと考える。図８において、スケジューラは、フレーム１２において、第１ビットマップによって示すように、ＷＴ６、ＷＴ１０、及びＷＴ１１を割当て、また、第２ビットマップによって示すように、ブロックサイズを割り当てる。通常順位付けパターン８７０及びビットマップにおける値のために、３つの無線端末には、８２０において分かるような資源が割り当てられる。この信号送信方法を用いて、ＢＴＳは、第１ＶｏＩＰパケット用の第５送信及びＷＴ１０向けの第２ＶｏＩＰパケット用の第１送信を同時に送信することはできなかった。
【００２２】
上述した問題を軽減するために、特別な送信で示す新しい制御チャネルビットマップが、一組の時間・周波数資源を共有する無線端末のグループに送信され、そのグループに対して、どの無線端末が特別な送信を受信しているか示す。このフィールドは、図９に示すが、この場合、特別な送信フィールド９０５が、以前定義された端末割当て９１０及び配分サイズ９３０フィールドの前に、共有制御チャネルメッセージに挿入される。尚、特別な送信フィールドは、制御チャネル内における任意の位置において起こり得る。例えば、他の実施形態では、特別な送信フィールドは、端末割当て９１０及び配分サイズ９３０フィールドの後に起こる。特別な送信フィールドは、更に詳細に後述するように、追加の特別な送信と同様に、１つの無線端末への２つの音声パケットの同時送信を円滑化する。特別な送信フィールドは、無線端末の識別子（ＷＴ識別子フィールド９４０）及びＮ個のオプションの関連フィールドを含むが、ここで、Ｎは、０以上の整数である。図９において、２つのオプションのフィールド、即ち、第１フィールド及び第２フィールドが示されている。図８において説明した問題を軽減するために、第１フィールド９５０は、予約ブロックフィールド９５０であってよく、他方、第２フィールド９６０は、ＨＡＲＱ送信番号フィールド９６０であってよい。これら３つのフィールドは、各無線端末に対して、特別な送信で示される。各一連のフィールド９４０、９５０、及び９６０は、１つの無線端末用の１つの特別な送信を示す。許される特別な送信の数は、システムにおいて固定したり、異なる制御チャネルで示したり、盲検出を用いて求めたり、又は、グループサイズに基づき決定したりしてよい。関連する実施形態において、特別な送信フィールド９０５は、端末割当てフィールド９１０及び配分サイズフィールド９３０に付加されないが、むしろ別個に符号化され、送信される。
【００２３】
ＷＴ識別子フィールド９４０は、どの無線端末が、特別な送信を受信しているかの表示である。通常、ＷＴ識別子は、グループ内における無線端末の位置の２進数表現である。グループ内における無線端末の位置は、そのビットマップ位置に対応することを思い起こされたい。また、ＷＴ識別子は、セクタ特定識別子（ＭＡＣインデックス等）又はシステム特定固有識別子であってもよい。
【００２４】
予約ブロックフィールドは、各特別な送信に用いられるブロック数の一組の時間・周波数資源を共有するグループのユーザに対する表示である。通常、予約ブロックフィールドは、ビットマップであり、この場合、ビットマップは、１０進数への２進数の直接マッピングである。例えば、３ビットが予約ブロックフィールドに対して割り当てられる場合、‘０００’は、０ブロックが予約されていることを示し、‘００１’は、１ブロックが予約されていることを示し、‘０１０’は、２ブロックが予約されていることを示し、‘０１１’は、３ブロックが予約されていることを示す等々である。しかしながら、他のマッピングも可能である。例えば、３ビットの単純な非線形表現において、‘０００’は、０ブロックが予約されていることを示し、‘００１’は、１ブロックが予約されていることを示し、‘０１０’は、２ブロックが予約されていることを示し、‘０１１’は、４ブロックが予約されていることを示し、‘１００’は、８ブロックが予約されていることを示し、‘１０１’は、１２ブロックが予約されていることを示し、‘１１０’は、１６ブロックが予約されていることを示し、‘１１１’は、３２ブロックが予約されていることを示すように用い得る。ＢＴＳのスケジューラ及び無線端末が、マッピングを分かる限り、実際の数の予約ブロックへの予約ブロックフィールドのいずれかの線形又は非線形マッピングが可能である。最後に用いられるより多くの資源を予約し得ることが想像され、また、このことは、若干非効率的であるが、それは、時として、望ましい。例えば、それは、非線形マッピングが用いられる場合、予約される資源ブロックの数を指定する際に用いられる予約フィールドのオーバーヘッドを低減する。マッピングは、制御チャネル上で送信するか、又は、既定値として無線端末に記憶し得る。
【００２５】
ＨＡＲＱ送信番号フィールドは、ＷＴ識別子フィールド９４０に示す無線端末が受信しているＨＡＲＱ送信番号の表示である。そのような情報は、ＶｏＩＰ送信を復号する時、無線端末によって用いることができ、また、特に、無線端末が、与えられたパケットの送信中、１つ又は複数の制御チャネルを見逃す場合、望ましい。例えば、ＢＴＳが、１つのブロックを用いて、第１２グループ位置を有する無線端末に対して第５送信を送信している場合、ＷＴ識別子フィールド９４０は、‘１１００’であり、予約ブロックフィールド９５０は、‘００１’であり、ＨＡＲＱ送信番号フィールド９６０は、‘１０１’である。
【００２６】
第１フィールド９５０又は第２フィールド９６０として用い得る幾つかの追加のフィールドがある。第一に、ボコーダ速度フィールドを用いて、特別な送信のボコーダ速度を示し得る。このことは、盲速度検出実施要件を解消することによって、無線端末における処理負担の軽減を支援する。例えば、ボコーダ速度フィールドは、２ビットフィールドであってよく、この場合、‘００’は、１／８速度ボコーダフレームを示し、‘０１’は、１／４速度ボコーダフレームを示し、‘１０’は、１／２速度ボコーダフレームを示し、‘１１’は、全速度ボコーダフレームを示す。第二に、パケットデータフィールドは、特定の無線端末へのパケットデータ送信の存在及びパケットサイズを示すために用い得る。このことは、通常、ＶｏＩＰパケットを受信するユーザのグループに対してパケットデータ送信を示すために有利である。例えば、パケットデータフィールドは、２ビットフィールドであってよく、この場合、‘００’は、１２８ビットデータパケットを示し、‘０１’は、２５６ビットデータパケットを示し、‘１０’は、５１２ビットデータパケットを示し、‘１１’は、１０２４ビットデータパケットを示す。一例として、データパケットは、ＳＭＳ（短メッセージサービス）メッセージであってよい。第三に、割当てブロックフィールドを用いて、各特別な送信用の開始ブロックを示し得る。例えば、ソフトハンドオフ等の或る状況の場合、特定の無線端末を特定の共有時間・周波数資源に割り当てることが望ましいことがある。この場合、割当てブロックフィールドは、特別な送信の第１ブロックを示すために用いられる。残りの無線端末は、それらの配分を決定する時、単に、割当てブロックフィールドに示すあらゆる資源をスキップする。例えば、ＢＴＳが、第６グループ位置を有する第８共有資源を無線端末に割り当てたい場合を考える。この場合、ＢＴＳは、ＷＴ識別子フィールドに‘１１０’を示し、また、割当てブロックフィールドに‘１０００’を示す。
【００２７】
上述したように、割当てブロックフィールドは、ソフトハンドオフに用い得る。これを理解するために、セクタＡ及びセクタＢで示す２つのセクタ間に配置された無線端末について考える。更に、無線端末が、特定の組の時間・周波数資源を共有するセクタＡにおけるＶｏＩＰグループに割り当てられ、また、同様なグループが、同じ組の時間・周波数資源を共有するセクタＢにある（無線端末は、セクタＢにおけるグループのメンバではない）と考える。そして、無線端末は、ＢＴＳがそのＶｏＩＰパケットをセクタＡからセクタＢに同時に一斉送信するようにというその願いを示すと考える。同時一斉送信の場合、同じ時間・周波数資源が、セクタＡ及びセクタＢ双方において用いられる必要がある。このために、セクタＡは、その組の共有時間・周波数資源の内のどれが、セクタＢに対して無線端末が割り当てられているか示し、また、セクタＢは、ＷＴ識別子フィールドにおける無線端末のＭＡＣインデックス及び割当てブロックフィールドを用いるセクタＡにおける割当てブロックを示すことによって、無線端末用の特別な送信を示す。これらのフィールドは、セクタＢの共有制御チャネルにおいて送信される。
【００２８】
最も一般的な形態では、特別な送信フィールドは、無線端末の識別子を示し、また、オプションとして、少なくとも１つの追加のフィールドを示し、この場合、追加のフィールドは、予約ブロックフィールド、ＨＡＲＱ送信番号フィールド、ボコーダ速度フィールド、パケットデータフィールド、及び割当てブロックフィールドから取られる。
【００２９】
また、図８によって述べた問題を軽減するために、予約ブロックフィールドが、第１フィールドとして用いられ、ＨＡＲＱ送信番号が、第２フィールドとして用いられる場合について考える。無線端末は、ＷＴ識別子フィールド９４０の１つにおけるその識別子を観察すると、それが、特別な送信を受信していることが分かる。そして、それは、対応する予約ブロックフィールド及び対応するＨＡＲＱ送信番号フィールドからのＨＡＲＱ送信番号に基づき、特別な送信用のブロック数を決定する。特別な送信用のブロックは、特別な送信配分方式に基づき、割当て得る。例えば、特別な送信は、その組の共有資源の最初に、その組の共有資源の最後に（可能性として、逆の順番で）、第１及び第２ビットマップを用いて割り当てられたブロックの直後に、又は、ＢＴＳ及び無線端末がその位置が分かる限り、任意の他の位置に、割当て得る。特別な送信配分方式は、開始資源ブロック及び特別な順位付けであってよい。ＢＴＳは、制御チャネル上での特別な送信配分方式を示し得る。ブロックが、その組の共有資源の最初に割り当てられる場合、特別な送信を受信する第１無線端末には、ブロック１で始まる第１予約ブロックフィールド９５０において示す数のブロックが割り当てられる。特別な送信を受信する第２無線端末には、ブロック１で始まる第２予約ブロックフィールドにおいて示す数のブロック、プラス第１予約ブロックフィールドにおいて示す数のブロックが割り当てられる。このプロセスは、特別な送信を受信する全ての無線端末に対して繰り返される。そして、端末割当てフィールド９１０に示される無線端末は、通常通り、特別な送信に用いられる最後のブロック直後のブロックから開始して、資源を割り当て始める。尚、無線端末は、特別な送信フィールド９０５及び端末割当てフィールド９１０の双方に示し得る。このようにして、無線端末には、複数のパケット用の資源を同時に割当て得る。尚、ＢＴＳは、多数のＷＴ識別子フィールド９４０において同じＷＴ識別子を示すことによって、特定の無線端末用の２つの特別な送信を示し得る。
【００３０】
図１０は、特別な送信フィールドが、同じ無線端末への複数のパケット用の資源を同時に割り当てるためにどのように用いられるか示す。図１０のシナリオは、特に示す場合を除き、図８と同じである。フレーム１２の最初に、ＢＴＳは、そのキューにおいて、ＷＴ６、ＷＴ１０、及びＷＴ１１用の第２音声パケット及びＷＴ１０用の未確認の第１音声パケットを有することを思い起こされたい。特別な送信フィールドを用いて、この例は、ＢＴＳが、どのようにして、ＷＴ１０用の第１及び第２音声パケット双方のための資源を同時に割り当てるか示す。ＢＴＳは、制御チャネルの一部として、ＷＴ識別子フィールド１０９０、予約ブロックフィールド１０８０、及びＨＡＲＱ送信番号フィールド１０８５が含まれる特別な送信フィールドを送信する。この例において、特別な送信には、その組の共有資源における第１ブロックが割り当てられ、また、特別な順位付けは、通常順位付けと等価である。更に、予約ブロックフィールドは、１０進数への２進数の直接マッピングであるビットマップである。ＷＴ１０用の第１音声パケットの第５送信は、２つのブロックを必要としているとＢＴＳが判断したとする。ＷＴ１０用の特別な送信を示すために、ＢＴＳは、１０９０において、位置即ちグループ内におけるＷＴ１０の位置を示す。ＷＴ１０は、ビットマップにおける第３位置に対応する。本例において、第１位置は、２進数‘００’に対応することから、第３位置は、２進数‘１０’に対応する。他の実施形態では、第３位置は、ゼロの位置がどのように定義されるかに依存して、２進数‘１１’に対応し得る。ＢＴＳは、予約ブロックフィールド１０８０において、‘１０’を用いて、２つのブロックが、ＷＴ１０用の特別な送信のために割り当てられていることを示す。最後に、ＢＴＳは、‘１０１’を用いて、ＨＡＲＱ送信番号フィールドにおいて、第５ＨＡＲＱ送信を示す。ＷＴ１０は、制御チャネルを復号し、また、それには、２つのブロックを占有する特別な送信が割り当てられていると判断する。特別な送信は、特別な順位付けに基づき、最初に割り当てられることから、この２つのブロックは、共有時間・周波数資源の組の最初の２ブロックである。制御チャネルメッセージを受信する各端末は、２つのブロックが、特別な送信に用いられていると判断し、そして、通常通り、第１及び第２ビットマップに基づき、資源の割当てを開始する。通常順位付けパターン１０７０及びビットマップの値のために、ＷＴ６、ＷＴ１０、及びＷＴ１１には、１０２０において分かるような資源が割り当てられる。例えば、ＷＴ６は、第１ビットマップ１０５０を用いて、それが、アクティブであると判断し、第２ビットマップ１０６０を用いて、それには、１つのブロックが割り当てられていると判断し、それには、ブロック番号３が割り当てられていると判断するが、これは、２つのブロックが、特別な送信用に割り当てられたためである。ＷＴ１０は、第１ビットマップ１０５０を用いて、それが、アクティブであると判断し、第２ビットマップ１０６０を用いて、それには、１つのブロックが割り当てられていると判断し、それには、ブロック番号４が割り当てられていると判断するが、これは、２つのブロックが、特別な送信用に割り当てられ、また、１つのブロックが、第１及び第２ビットマップにおける他の無線端末に以前割り当てられたためである。このプロセスは、ＷＴ１１に対して繰り返される。特別な送信フィールド１０８０、１０８５、及び１０９０を用いて、ＢＴＳは、ＷＴ１０が、２つの音声パケットを同時に受信していたことを示すことができた。幾つかの実施形態において、ＨＡＲＱ送信番号フィールドは、省略される。この場合、ＷＴ１０は、どの割当てが、第１音声パケットの第５送信用であるか、また、どの割当てが、第２音声パケットの第１送信用であるか分かる。好適な実施形態において、通常の境界を超えて継続される送信は、特別な送信として示され、他方、新しい送信は、通常の第１及び第２ビットマップを用いて示されるが、ＢＴＳ及び無線端末がその方式について同意する限り、その反対もまた可能である。
【００３１】
他の実施形態では、予約ブロック及びＷＴ識別子フィールドは、特定の無線端末が、必ずしも連続送信とは限らない特別な送信を受信していることを示すために用いられる。例えば、符号化に先立ってボコーダパケットに追加されるＲＴＰ／ＵＤＰ／ＩＰ（リアルタイム・トランスポート・プロトコル／ユーザ・データグラム・プロトコル／インターネット・プロトコル）オーバーヘッドは、通常より大幅に大きいことがある。この場合、ＷＴ識別子は、特別な送信が意図されたＷＴを示し、また、予約ブロックフィールドは、拡張ＲＴＰ／ＵＤＰ／ＩＰパケット用のパケットサイズ及びこのパケットに割り当てられたブロックの数を示す。
【００３２】
更に他の実施形態において、特別な送信が割り当てられた無線端末の識別子は、ビットマップを用いて示され、この場合、ビットマップにおける各位置は、共有時間・周波数資源の内の１つに対応する。‘１’がビットマップに示される場合、以前のフレームにおいて対応する時間・周波数資源が割り当てられた無線端末には、現フレームにおいて特別な送信が割り当てられる。このことは、配分サイズフィールドがなく（端末割当てだけ）、また、特別な送信を要求する幾つかの無線端末がある場合、特に有利である。本実施形態では、特別な送信が割り当てられた各無線端末には、１つのブロックが割り当てられる。
【００３３】
図１１は、基地局のブロック図である。図示するように、基地局１１０には、論理回路１２０１、トラフィックチャネル回路１２０３、及び制御チャネル回路１２０５が含まれる。動作中、一組の共有資源からの適切な共有資源（即ち、タイムスロット（１つ又は複数）及び副搬送波（１つ又は複数）、可能性として、特定のインターレース内において）を利用して、データは、トラフィックチャネル回路１２０３に入力し、適切な無線端末１０２に送信される。
【００３４】
上述したように、制御チャネル回路１２０５は、適切な制御情報を一組の端末１０２に送信する。制御情報には、各端末にその割当て資源について通知する端末割当て９１０が含まれる。また、配分サイズ９３０は、制御チャネル回路１２０５によって送信される。上述したように、配分サイズフィールドには、特定の端末が割り当てられる共有資源の量が含まれる。
【００３５】
特定の無線端末に対して特別な送信が必要であると論理回路１２０１が判断する場合、論理回路１２０１は、制御チャネル回路１２０５に指示して、特別な送信を受信する各無線端末に対して、共有制御チャネルの特別な送信フィールドの一部として、ＷＴ識別子フィールド９４０を一斉送信させる。予約ブロックフィールドが用いられる場合、論理回路１２０１は、特別な送信が要求されている各無線端末に必要な資源の量を決定し、そして、制御チャネル回路１２０５に指示して、共有制御チャネルの特別な送信フィールドの一部として、予約ブロックフィールド９４０を一斉送信させる。予約ブロックフィールド９４０は、その組の共有資源ブロックのユーザに対して、厳密にどれだけの資源が、特別な送信を受信する端末によって利用されようとしているか示す。ＨＡＲＱ送信番号フィールド、ボコーダ速度フィールド、パケットデータフィールド、割当てブロックフィールドの内のいずれか１つが用いられている場合、論理回路１２０１は、そのフィールド用の適切な値を決定し、そして、制御チャネル回路１２０５に指示して、共有制御チャネルの特別な送信フィールドの一部として、そのフィールドを一斉送信させる。特別な送信を受信する無線端末は、特別な送信配分、特別な順位付けパターン、及びいずれか以前の特別な送信用の開始点に基づき、それらの特別な送信の位置を決定する。残りの無線端末は、どのブロックが特別な送信に利用されているか決定し、そして、通常順位付けパターンに基づき、特別な送信に用いられるそれらのブロックをスキップしつつ、その組の共有資源ブロックを埋め続ける。
【００３６】
図１２は、図１１の基地局の動作を示すフローチャートである。論理フローは、ステップ１３０１において開始するが、ここで、論理回路１２０１（スケジューラとしての役割を果たす）は、一組の共有資源を用いてグループ化される予定の複数の無線端末を決定する。上述したように、グループの全ての端末は、資源に対して所定の通常順位付けパターン（埋める順番）及び特別な送信に資源を割り当てるための所定の方式を有する。特別な送信配分方式は、制御チャネルメッセージの一部として、全ての無線端末に送信される。特に、基地局は、制御チャネル上で、グループ識別子及び特別な送信配分方式を送信し得る。そして、論理回路１２０１は、複数の配分サイズが許される場合、グループにおける各端末用の配分サイズを決定する（ステップ１３０３）。ステップ１３０５において、グループにおけるいずれの無線受信機に対しても特別な送信を行う必要がない場合、論理フローは、ステップ１３０７に続き、そうでない場合、論理フローは、ステップ１３０９に続き、そこで、意図した無線端末（ＷＴ識別子）用の識別子が、特別な送信を必要とする各無線端末用に決定される。オプションとして、追加のフィールドが、各無線端末に関連付けされる。例えば、予約ブロックフィールド、ＨＡＲＱ送信番号フィールド、ボコーダ速度フィールド、パケットデータフィールド、及び割当てブロックフィールドの任意の組合せが、各ＷＴ識別子に付加し得る。特別な送信を受信する各無線端末用のフィールドの連結は、特別な送信フィールドとして定義される。尚、ＢＴＳは、資源が限定されている場合、特別な送信に対して如何なる資源も割り当てないことを選択し得る。
【００３７】
ステップ１３０７において、制御チャネル回路１２０５は、端末割当て、配分サイズ、及び必要とされる場合、特別な送信フィールドを送信する。最後に、ステップ１３１１において、トラフィックチャネル回路１２０３は、それらの適切な資源を利用する端末にデータを送信する。
【００３８】
図１３は、端末のブロック図である。図示するように、端末１０２には、論理回路１４０１、トラフィックチャネル回路１４０３、及び制御チャネル回路１４０５が含まれる。動作中、データは、制御チャネル回路１４０５（制御チャネルを介して）又はトラフィックチャネル回路１４０３（一組の共有資源からの適切な共有資源（即ち、特定のインターレース内におけるタイムスロット（１つ又は複数）及び副搬送波（１つ又は複数））を利用する）のいずれかを介して受信される。
【００３９】
図１４は、端末１０２の動作を示すフローチャートである。論理フローは、ステップ１５０１において開始するが、ここで、制御チャネル回路１４０５は、端末割当て、配分サイズ、及びオプションとしての特別な送信フィールドを受信する。ステップ１５０３において、無線端末は、その識別子が、特別な送信フィールドの内のいずれか１つに示されているかどうか判断する。無線端末がその識別子を見つけない場合、論理フローは、ステップ１５０７に続き、そうでない場合、論理フローは、ステップ１５０３に続き、ここで、無線端末は、その特別な送信情報を決定するが、これには、予約ブロックフィールド、ＨＡＲＱ送信番号フィールド、ボコーダ速度フィールド、パケットデータフィールド、及び割当てブロックフィールドの任意の組合せを含み得る。端末割当てフィールド、配分サイズフィールド、及び特別な送信フィールドに基づき、無線端末論理回路１４０１は、データの受信及び送信用の適切な資源を決定する１５０７。この判断は、通常順位付けパターン及び特別な送信配分方式に基づき、この場合、特別な送信配分方式は、特別な送信用の開始ブロック及び特別な順位付けを含む。論理回路１４０１は、どの資源が以前に割り当てられていたか判断決定し（ステップ１５０９）、この情報及び配分サイズを利用して、論理回路１４０１は、通常順位付けパターンに基づき、利用すべき適切な資源を決定する（ステップ１５１１）。
【００４０】
本開示及びその最良の形態について、本発明者らによる所有権を確立するように、また、当業者がそれらを実現し利用できるように述べたが、本明細書で述べた代表的な実施形態には、数多くの等価物が存在、また、本発明の範囲と精神から逸脱することなく、それらに対して修正や変更を行うことが可能であり、本発明は、これら代表的な実施形態によってではなく添付の請求項によって限定されることを理解し認識されたい。
【図面の簡単な説明】
【００４１】
【図１】例示の無線通信ネットワークを示す図。
【図２】各々複数のタイムスロットを含む例示の一連の無線フレームを示す図。
【図３】各々複数のタイムスロットを含む例示例の一連の繰り返し無線フレームを示す図。
【図４】例示例の一組の共有資源を示す図。
【図５】資源割当て情報を示すブロック図。
【図６】資源割当てビットマップを示す図。
【図７】共有資源及び通常順位付けパターンを示す図。
【図８】第１の代表的な資源配分方式を示す図。
【図９】本発明の多数の実施形態に基づく資源割当て情報を示すブロック図。
【図１０】第２の代表的な資源配分方式を示す図。
【図１１】本発明の多数の実施形態に基づく基地局を示すブロック図。
【図１２】本発明の多数の実施形態に基づく図１２の基地局の動作を示すフローチャート。
【図１３】本発明の多数の実施形態に基づく無線端末を示すブロック図。
【図１４】本発明の多数の実施形態に基づく図１４の無線端末の動作を示すフローチャート。
【図１】
2008035526.tif 000003
【図２】
2008035526.tif 000004
【図３】
2008035526.tif 000005
【図４】
2008035526.tif 000006
【図５】
2008035526.tif 000007
【図６】
2008035526.tif 000008
【図７】
2008035526.tif 000009
【図８】
2008035526.tif 000010
【図９】
2008035526.tif 000011
【図１０】
2008035526.tif 000012
【図１１】
2008035526.tif 000013
【図１２】
2008035526.tif 000014
【図１３】
2008035526.tif 000015
【図１４】
2008035526.tif 000016